(57)【要約】【課題】簡易な構造で製作が容易であると共に、漏水の生じ難い動物用給水具を提供すること。【解決手段】貯水容器１０と、該貯水容器１０に連通する状態で上端が取付けられた給水管３０と、該給水管３０の下端に設けられた貫通孔５１を備えた固定部材５０と、該固定部材５０の前記貫通孔５１に遊挿された操作杆６０と、該操作杆６０の上端に設けられた前記給水管３０内において移動可能な可動部材７０と、該可動部材７０によって前記固定部材５０に圧接されて前記貫通孔５１からの水の流出を阻止する止水部材８０とから構成されている動物用給水具とした。【選択図】　　　図４
0003098018.tif 000002
【実用新案登録請求の範囲】
【請求項１】
貯水容器と、該貯水容器に連通する状態で上端が取付けられた給水管と、該給水管の下端に設けられた貫通孔を備えた固定部材と、該固定部材の前記貫通孔に遊挿された操作杆と、該操作杆の上端に設けられた前記給水管内において移動可能な可動部材と、該可動部材によって前記固定部材に圧接されて前記貫通孔からの水の流出を阻止する止水部材とから構成されていることを特徴とする、動物用給水具。
【請求項２】
上記止水部材が上記操作杆の外周にその弾性によって装着されたＯリングであることを特徴とする、請求項１に記載の動物用給水具。
【請求項３】
上記可動部材の上方に位置する上記給水管内に移動自在な球状部材が収容されていることを特徴とする、請求項１又は２のいずれか記載の動物用給水具。
【請求項４】
上記貫通孔の長さが上記操作杆の直径の５倍以上であることを特徴とする、請求項１乃至３のいずれか記載の動物用給水具。
【請求項５】
上記操作杆の下端に上記貫通孔の直径より最大外形が大きい操作部が設けられていることを特徴とする、請求項１乃至４のいずれか記載の動物用給水具。
【請求項６】
上記操作杆に上記可動部材と上記操作部の少なくともいずれか一方が取付け・取外し自在に設けられていることを特徴とする、請求項５に記載の動物用給水具。
【考案の詳細な説明】
【０００１】
【考案の属する技術分野】
本考案は、ハムスター，猫，犬等の動物用給水具に関するものである。
【０００２】
【従来の技術】
動物用給水具としては、特許文献１、或いは特許文献２に記載されたものがある。
ここで、特許文献１に記載された動物用給水具は、特許文献１の図２にその全体が示されているように、貯水壜２の下端に連通する状態で取付けられた給水管６の先端部に、１個或いは２個の球弁１３が配設された構造のもので、ハムスター等の小動物が、前記給水管６の先端から一部突出している球弁１３をつつくことにより弁を開放し、水を呑む構造のものである。
【０００３】
一方、特許文献２に記載された動物用給水具は、特許文献２のＦＩＧ．１等に示されているように、水飲口１のハウジング２内を直径の異なる三つの連続的部分５，６，７に区分し、その第一番目の最下部の直径の最も小さい部分５にヘッド８と心棒１０とから成るタペット９を設け、次の第二番目の直径のやや大きい穴部分６に弁座１３を設けると共に、これに第１のボール１２を載置し、更に第三番目の最上部の直径の最も大きい部分７にも弁座１５を設け、これに前記第１のボール１２よりも直径の大きい第２のボール１４を載置した構造のもので、前記タペット９を動物が押し上げた場合に先ず上記第１のボール１２がその弁座１３から離れ、二つのボール１２，１４間に溜まっている水が流出し、さらに動物が前記タペット９を動かすと上記第１のボール１２が上記第２のボール１４を弁座１５から離し、水を多量に呑むことができるように構成したものである。
【０００４】
【特許文献１】
特許第２９４１２１２号公報
【特許文献２】
特公昭４９−４３７９２号公報
【０００５】
【考案が解決しようとする課題】
しかしながら、先ず上記特許文献１に記載された動物用給水具は、構造が単純で製作コストを低減できるものではあるが、球弁１３の周囲から水が滲み出し易く、動物が球弁１３を操作しない場合においても、球弁１３部分から水が点滴状態で落下する憂いが高い構造のものであった。
【０００６】
また、上記特許文献２に記載された動物用給水具にあっては、２重、３重の弁構造８，１２，１４と成っているため、水が漏れ出る憂いが少ない構造のものではあるが、水飲口１のハウジング２内に直径の異なる三つの連続的部分５，６，７を形成する作業、及び弁座１３，１５等を形成する作業は、煩雑な精度を要求される作業となり、製作コストが嵩むと言う課題があった。
【０００７】
本考案は、上述した従来の技術が有する課題に鑑み成されたものであって、その目的は、簡易な構造で製作が容易であると共に、漏水の生じ難い動物用給水具を提供することにある。
【０００８】
【課題を解決するための手段】
本考案に係る動物用給水具は、上記した目的を達成するため、貯水容器と、該貯水容器に連通する状態で上端が取付けられた給水管と、該給水管の下端に設けられた貫通孔を備えた固定部材と、該固定部材の前記貫通孔に遊挿された操作杆と、該操作杆の上端に設けられた前記給水管内において移動可能な可動部材と、該可動部材によって前記固定部材に圧接されて前記貫通孔からの水の流出を阻止する止水部材とから構成されている動物用給水具とした。
【０００９】
上記した本考案に係る動物用給水具によれば、動物が操作杆を押し上げると、該操作杆の上端に設けられた可動部材が上方に移動し、該可動部材によって固定部材に圧接されていた止水部材による止水が解除され、貫通孔から水が流出して動物が水を呑むことができる。一方、操作杆への動物による上記操作が行われない場合には、可動部材は水圧やその自重等によって止水部材を固定部材に圧接させて貫通孔からの水の流出を阻止するため、簡易の構造にも係わらず、漏水の生じ難い動物用給水具となる。
【００１０】
ここで、上記本考案において、上記止水部材を上記操作杆の外周にその弾性によって装着されたＯリングとすることができ、この場合には、効率的に貫通孔からの水の流出を阻止する止水部材と成ると共に、該止水部材の取付け及び取外しが容易な動物用給水具となる。
【００１１】
また、上記本考案において、上記可動部材の上方に位置する上記給水管内に移動自在な球状部材を更に収容しても良く、この場合には、収容する球状部材の重さ或いは数等を適宜調整することにより、使用する動物に合った最適な押し上げ力を必要とする給水具に容易に調整することができる。
【００１２】
更に、上記本考案において、上記貫通孔の長さを上記操作杆の直径の５倍以上のものとすることができ、この場合には、貫通孔内において操作杆が左右にブレ難く、また水の流通路が細く長いものとなるために毛細管作用による水の保持も期待でき、より漏水の生じ難い動物用給水具となる。
【００１３】
また、上記本考案において、上記操作杆の下端に上記貫通孔の直径より最大外形が大きい操作部を設けても良く、この場合には、動物による操作がし易い給水具と成ると共に、操作杆が動物によって押されて貫通孔内に入り込んでしまうことが無い動物用給水具となる。
【００１４】
更に、上記本考案において、上記操作杆に上記可動部材と上記操作部の少なくともいずれか一方を取付け・取外し自在に設けても良く、この場合には、容易に組立てができると共に、操作杆を固定部材の貫通孔から組立て後においても抜くことができ、貫通孔の清掃等のメンテナンスの作業がし易いものとなる。
【００１５】
【考案の実施の形態】
以下、上記した本考案に係る動物用給水具の実施の形態について、図面等を示して詳細に説明する。
なお、図１は本考案に係る動物用給水具の一実施の形態を示した斜視図、図２は要部の分解斜視図、図３及び図４は要部の縦断面図を各々示す。
【００１６】
本考案に係る動物用給水具１は、図１に示したように、貯水容器１０と、該貯水容器１０の口部１１に螺合されたキャップ２０と、該キャップ２０に形成された筒部２１に嵌挿された給水管３０と、該給水管３０からの水の流出を制御する弁機構４０とから構成されている。
【００１７】
上記貯水容器１０は、例えば透明の合成樹脂により成形された円筒状容器で、その本体１２の側壁には動物の飲量を計測するための目盛り１３が付され、下端には外周壁に雄ねじ１４が形成された上記口部１１が設けられている。
【００１８】
上記キャップ２０は、図２及び図３に示したように、内周壁に上記貯水容器１０の雄ねじ１４が螺合する雌ねじ２２が形成され、底壁には貫通する状態で上記筒部２１が形成され、該筒部２１の基端内部には突起２３が形成された、例えば硬質の合成樹脂により一体成形された有底円筒状部材である。
【００１９】
上記給水管３０は、例えばステンレス鋼から成る円筒状管体で、その外径は上記キャップ２０の筒部２１の内径より僅かに小さく設計され、図３に示したように、該給水管３０の上端を上記キャップ２０の筒部２１内に挿入した場合に、上記筒部２１に形成された突起２３に当接してその挿入が停止すると共に、何ら接着剤或いは止水部材等を用いること無く、給水管３０をキャップ２０の筒部２１に水密状態で装着できるように構成されている。
【００２０】
上記弁機構４０は、図２に示したように、上記給水管３０の下端に設けられる貫通孔５１を備えた固定部材５０と、該固定部材５０の前記貫通孔５１に遊挿される操作杆６０と、該操作杆６０の上端に設けられる上記給水管３０内において移動可能な可動部材７０と、該可動部材７０によって前記固定部材５０に圧接される止水部材８０と、前記操作杆６０の下端に必要に応じて設けられる操作部９０と、上記可動部材７０の上方に位置する上記給水管３０内にやはり必要に応じて任意の数収容される球状部材１００とから構成されている。
【００２１】
上記固定部材５０は、例えば腐蝕が生じ難いステンレス鋼により略円柱形状に形成され、その軸芯に沿って上記貫通孔５１が設けられている。この貫通孔５１は細長く、その内径は後記する操作杆６０の直径の１．２〜１．５倍程度とされ、長さは後記する操作杆６０の直径の５倍以上されている。また、該固定部材５０の外径は上記給水管３０の内径より僅かに小さく設計され、且つ下端に鍔部５２が設けられ、中央外周に凹部５３が設けられている。そして、図３に示したように、前記凹部５３に接着剤Ｚが充填され、給水管３０の下端を塞ぐ状態で該固定部材５０は給水管３０の下端に固定設置される。
【００２２】
上記操作杆６０は、上記固定部材５０の貫通孔５１に水の通路となる間隙が形成される状態で遊挿し得る直径の棒状部材に、例えば腐蝕が生じ難いステンレス鋼により形成され、その先端には雄ねじ６１が刻設され、下端には上記貫通孔５１の直径より最大外形の大きい球状の操作部９０が必要に応じて一体形成されている。
【００２３】
上記可動部材７０は、やはり腐蝕が生じ難いステンレス鋼等により円柱状部分７１と角状部分７２とから成る部材に一体形成され、円柱状部分７１の軸芯に沿って上記操作杆６０の先端に設けられた雄ねじ６１が螺合する雌ねじ７３が形成されている。この可動部材７０の外径は上記給水管３０の内径より小さく設計され、図３及び図４に示したように、上記操作杆６０の上端にねじ６１，７３同士の螺合により取付けられた状態で、操作杆６０の操作により容易に給水管３０内において上下方向に移動し、且つ給水管３０の内壁との間に水の通路となる十分な間隙が形成されるように構成されている。
【００２４】
上記止水部材８０は、例えばシリコンゴムによりＯリング形状に形成されたもので、図３に示したように、上記操作杆６０の上記可動部材７０が取付けられた位置の周壁部分にその弾性によって装着されている。そして、可動部材７０によって前記固定部材５０に圧接され、前記貫通孔５１からの水の流出を阻止する。
【００２５】
上記球状部材１００は、例えば腐蝕が生じ難いステンレス鋼により球状に形成されたもので、図３に示したように、上記可動部材７０の上方に位置する上記給水管３０内に必要に応じて任意の数（図においては１個）収容され、可動部材７０をその自重により上方から押圧する。
【００２６】
上記のように構成された本考案に係る動物用給水具１は、動物が水を呑みたい場合に操作部９０を押すことにより操作杆６０を押し上げると、図４に示したように、該操作杆６０の上端に設けられた可動部材７０が上方に移動し、該可動部材７０によって固定部材５０に圧接されていた止水部材８０が固定部材５０から離れ、固定部材５０に形成された貫通孔５１から水が流出し、動物が水を呑むことができる。
【００２７】
一方、操作部９０への動物による上記操作が行われない場合には、図３に示したように、可動部材７０は水圧やその自重等によって止水部材８０を固定部材５０に圧接し、固定部材５０に形成された貫通孔５１を塞ぐため、水の流出は生じない。
【００２８】
また、上記本考案に係る動物用給水具１は、上記止水部材８０を上記操作杆６０の外周にその弾性によって装着されたＯリングとしているため、効率的に貫通孔５１からの水の流出を阻止すると共に、該止水部材８０の取付けが容易であるために組立て易く、また最も腐蝕等による劣化が心配される止水部材８０の交換作業も容易な動物用給水具となる。
【００２９】
また、上記本考案に係る動物用給水具１は、上記可動部材７０の上方に位置する上記給水管３０内に移動自在な球状部材１００を必要に応じて任意の数収容し得るようにしているため、使用する動物に合った最適な押し上げ力を必要とする給水具に容易に調整することができる。
【００３０】
更に、上記本考案に係る動物用給水具１は、上記貫通孔５１の長さを上記操作杆６０の直径の５倍以上の細長いものとしたため、貫通孔５１内において操作杆６０が左右にブレ難く、また水の流通路が細く長いものとなるために毛細管作用による水の保持も期待でき、より漏水の生じ難い動物用給水具となる。
【００３１】
また、上記本考案に係る動物用給水具１は、上記操作杆６０の下端に上記貫通孔５１の直径より最大外形が大きい操作部９０を設けたため、動物による操作がし易い給水具と成ると共に、操作杆６０が動物によって押されて貫通孔５１内に入り込んでしまうことが無いものとなる。
【００３２】
更に、上記本考案に係る動物用給水具１は、上記操作杆６０の上端にねじ６１，７３同士の螺合により可動部材７０を取付ける構造としているため、容易に組立てができると共に、操作杆６０を固定部材５０の貫通孔５１から組立て後においても抜くことができ、貫通孔５１の清掃等のメンテナンスの作業がし易いものとなる。
【００３３】
以上、本考案に係る動物用給水具１の一実施の形態に付いてその構造、及び作用・効果を詳細に説明したが、本考案は、何ら既述の実施の形態に限定されるものではなく、本考案の技術的思想、即ち実用新案登録請求の範囲の記載に基づいて定められる技術的思想の範囲内において、種々の変形及び変更が可能であることは当然である。
【００３４】
【考案の効果】
以上に説明した本考案に係る動物用給水具は、簡易な構造で製作が容易であると共に、漏水の生じ難い動物用給水具となる効果がある。
【図面の簡単な説明】
【図１】本考案に係る動物用給水具の一実施の形態を示した斜視図である。
【図２】図１に示した動物用給水具の要部を示した分解斜視図である。
【図３】図１に示した動物用給水具の要部を示した縦断面図である。
【図４】図１に示した動物用給水具の要部を示した縦断面図である。
【符号の説明】
１　　　動物用給水具
１０　　貯水容器
１１　　口部
２０　　キャップ
２１　　筒部
３０　　給水管
４０　　弁機構
５０　　固定部材
５１　　貫通孔
６０　　操作杆
７０　　可動部材
８０　　止水部材
９０　　操作部
１００　球状部材
【図１】
0003098018.tif 000003
【図２】
0003098018.tif 000004
【図３】
0003098018.tif 000005
【図４】
0003098018.tif 000006